(57)【特許請求の範囲】
【請求項１】
光モジュールと光コネクタとを備え、
前記光モジュールは、筐体の内部に設置されたケージへの装着である第一装着を行うことと、前記光コネクタの装着である第二装着が行われることとが可能であり、
前記光モジュールと前記光コネクタとは、前記第二装着により、前記第二装着の解除に第一解除操作が必要な第一係合が行われ、
前記光コネクタには、前記第二装着が維持されたまま前記光コネクタが前記筐体から抜き取られる際に、前記光モジュールに引っかかる抜取り部が接続されており、
前記光モジュールは、前記光モジュールと前記ケージとの間の係合を解除する操作を行わなくても、前記第二装着が維持されたままで、前記ケージから取り出すことが可能であり、
前記第一装着の際に、前記光モジュールは前記ケージにロックされない、
光接続構造。
【請求項２】
前記抜取り部の先端部は、前記第二装着された状態で前記筐体から抜き取られる際に、前記光モジュールの段差に引っかかる、請求項１に記載された光接続構造。
【請求項３】
前記第一装着の状態で、前記光モジュールに形成された凸部が、前記ケージに形成された凹部に嵌る、請求項１又は請求項２に記載された光接続構造。
【請求項４】
前記光コネクタは、前記第一係合を行うラッチ部を備える、請求項３に記載された光接続構造。
【請求項５】
前記第一解除操作は前記ラッチ部の操作により行われる、請求項４に記載された光接続構造。
【請求項６】
前記ケージは、前記筐体に固定された回路基板に設置されており、前記光モジュールの光モジュール電気端子は、前記第二装着の状態で、前記回路基板の回路基板電気端子に電気的に接続される、請求項１乃至請求項５のうちのいずれか一に記載された光接続構造。
【請求項７】
前記光コネクタは、前記筐体に設置された嵌合部材と前記第二装着の状態で嵌合され得る被嵌合部材と連結されている、請求項１乃至請求項６のうちのいずれか一に記載された光接続構造。
【請求項８】
前記嵌合部材と前記被嵌合部材とは互いに螺合し得る、請求項７に記載された光接続構造。
【請求項９】
前記筐体は、屋外光通信装置に備えられ、前記光コネクタは移動通信基地局に接続された光ケーブルに接続されている、請求項１乃至請求項８のうちのいずれか一に記載された光接続構造。
【請求項１０】
前記第一装着及び前記第二装着により、前記屋外光通信装置と前記移動通信基地局との間の光通信が行われ得る、請求項９に記載された光接続構造。
【発明の詳細な説明】
【技術分野】
【０００１】
本発明は、光コネクタを光モジュールに接続する光接続構造に関する。
【背景技術】
【０００２】
移動通信基地局と屋外光通信装置との接続は、一般的に、マルチソースアグリーメントにより規定されたＬＣプラグコネクタを備える屋外防水コネクタ付き屋外防水ケーブルで行われる。ここで、ＬＣプラグは、ラインコンセントプラグの略である。
【０００３】
図１３及び図１４は、移動通信基地局に接続された光ケーブルを屋外光通信装置に接続する一般的な光接続構造の例である光接続構造３００を表す概念図である。図１３は、光接続構造３００を構成するレセプタ部１００とコネクタ部２００とを接続させていない状態を表す。また、図１４は、レセプタ部１００とコネクタ部２００とを接続させた状態を表す。
【０００４】
レセプタ部１００は、屋外光通信装置３０１に設置されている。また、コネクタ部２００の光ケーブル８１は、図示されない移動通信基地局に接続されている。コネクタ部２００とレセプタ部１００とが、図１４に表すように接続された状態で、屋外光通信装置３０１と前記移動通信基地局との間の光通信が行われる。
【０００５】
レセプタ部１００は、レセプタ係合部材１０と、筐体７３と、基板８２と、ケージ８６と、光モジュール７０とを備える。光モジュール７０はＳＦＰ光モジュールである。ここで、ＳＦＰは、Ｓｍａｌｌ  Ｆｏｒｍ−ｆａｃｔｏｒ  Ｐｌｕｇｇａｂｌｅの略である。筐体７３は屋外光通信装置３０１の筐体である。筐体７３の図１３に表される部分の左方が筐体７３の内側であり、右方が筐体７３の外側である。筐体７３の内側には基板８２が設置されている。基板８２は、図示されない部材により、筐体７３に固定されている。
【０００６】
筐体７３に形成された穴７４にレセプタ係合部材１０が装着されている。
【０００７】
基板８２上には、ケージ８６が設置されている。ケージ８６内には、光モジュール７０が挿入されている。この状態において、光モジュール７０の電気端子７６は基板８２の配線と接続された電気端子８４に接続されている。当該配線は、基板８２に設置された図示されない信号処理部品に接続されている。
【０００８】
一方、コネクタ部２００は、コネクタ本体部２６とコネクタ係合部材２５と光ケーブル８１とを備える。前述のように光ケーブル８１は図示されない移動通信基地局に接続されている。また、コネクタ本体部２６は光コネクタ２２を備える。コネクタ係合部材２５はコネクタ本体部２６に固定されておらず、コネクタ本体部２６に対し回転し得る。
【０００９】
コネクタ係合部材２５は、図１４に表すように、レセプタ部１００のレセプタ係合部材１０と係合する。光コネクタ２２は光モジュール７０に挿入される。この状態において、光コネクタ２２は光モジュール７０とラッチ部２２ａにより係合されている。ラッチ部２２ａの構造は、ＭＳＡにより定められている。ラッチ部２２ａは、光コネクタ２２が光モジュール７０に装着された際に、光コネクタ２２を光モジュールに係合する働きをする。ラッチ部２２ａは、ＳＦＰ光モジュールが備える一般的な構成である。ここでは、ラッチ部２２ａの構造の説明は省略される。
【００１０】
光コネクタ２２が光モジュール７０に挿入された状態で、光モジュール７０は、電気端子８４及び７６を介して基板８２の配線から送付された電気信号を光信号に変換し、光コネクタ２２を介して、光ケーブル８１に送出する。また、光モジュール７０は、光ケーブル８１から光コネクタ２２を介して送付された光信号を電気信号に変換し、電気端子７６及び８４を介して基板８２の配線に送出する。
【００１１】
図１３に表すコネクタ部２００をレセプタ部１００に装着し図１４に表す状態にする場合は、まず光コネクタ２２を光モジュール７０に装着する。その後に、コネクタ係合部材２５を回転させることによりコネクタ係合部材２５のネジ溝２５ａをレセプタ係合部材１０のネジ山１０ａに螺合させる。こうして、コネクタ部２００のレセプタ部１００への装着が完了する。
【００１２】
次に、レセプタ部１００における、ケージ８６と、ケージ８６に装着された光モジュール７０との係合のされ方、及び当該係合の解除の方法について説明する。
【００１３】
図１５に表すように、光モジュール７０の下面７０ａには凸部７１が形成されている。一方、ケージ８６には係合孔８６ａが形成されている。図１４に表すように光モジュール７０がケージ８６に挿入された状態では、図１５に表すように凸部７１は係合孔８６ａに嵌っている。この状態では、光モジュール７０を図１５に表す矢印９８ａの逆向きに引っ張っても、凸部７１の右端が係合孔８６ａの右端に引っかかる。そのため、光モジュール７０をケージ８６から取り外すことができない。
【００１４】
凸部７１が係合孔８６ａに嵌った状態を解除する仕組みとして、図１３及び図１６に表すロック解除レバー７２が、光モジュール７０に設けられている。ロック解除レバー７２は、光モジュール７０の光コネクタの挿入口７７（図１３）を塞がないように、挿入口７７からずらして設置されている。ロック解除レバー７２は右方に倒すと、図１７に表すように、支点部７８が、基板を保持する部材に当たる。そして、ロック解除レバー７２の端部７９は、光モジュール７０の位置９１ａを上方に持ち上げる。これにより、図１８に表すように、光モジュールの凸部７１はケージ８６の係合孔８６ａから外れる。これにより、図１９に表すように、光モジュール７０を右方に移動させることが可能になる。これにより、ケージ８６から光モジュール７０を取り出すことができるようになる。
【００１５】
一方、図示は省略されるが、光モジュール７０を、ケージ８６に挿入するときには、光モジュール７０が図１５に表す矢印９８ａの向きに移動する際に凸部７１が可動片８６ｂを押し下げ、凸部７１が係合孔８６ａに嵌る。こうして、光コネクタ２２を光モジュール７０に装着した後、図１３に表すレセプタ係合部材１０にコネクタ係合部材２５を嵌合させれば、接続は完了する。
【００１６】
ここで、特許文献１は、構造体に接続されたとき、保持部材から嵌合方向において突出しており先端が前記嵌合方向において第１ガイド部と第２ガイド部との間に位置しているフェルールの先端がスリーブに受容されるコネクタを開示する。
【先行技術文献】
【特許文献】
【００１７】
【特許文献１】特開２０１８−０７７４０４号公報
【発明の概要】
【発明が解決しようとする課題】
【００１８】
図１４に表すように接続された光接続構造３００において、ケージ８６から光モジュール７０を取り外すためには、まず、コネクタ部２００をレセプタ部１００から抜き取る。その際に、コネクタ部２００のコネクタ係合部材２５を回転させ、レセプタ部１００のレセプタ係合部材１０から取り外す。その上で、ラッチ部２２ａを操作し光コネクタ２２と光モジュールとの係合を解除した上で、光コネクタ２２を光モジュールから抜き取る。そして、ロック解除レバー７２を操作した上で、ケージ８６から光モジュール７０を抜き取る。
【００１９】
このように、ケージ８６から光モジュール７０を取り外すためには、多くの操作が必要である。当該四段階は、コネクタ係合部材２５のレセプタ係合部材１０からの取り外し、ラッチ部２２ａの操作による光コネクタ２２と光モジュールとの係合の解除、ロック解除レバー７２の操作及びケージ８６からの光モジュール７０の抜き取りである。そのため、ケージ８６からの光モジュール７０の抜き取りには、手間と時間がかかる。さらに、レセプタ係合部材１０を通してケージ内の奥にある光モジュール７０の取外し作業を行う必要があるのでそのための取外し工具が必要になる。
【００２０】
本発明は、光モジュールの筐体からの抜取りを容易にする光接続構造等の提供を目的とする。
【課題を解決するための手段】
【００２１】
本発明の光接続構造は、光モジュールと光コネクタとを備え、前記光モジュールは、筐体の内部に設置されたケージへの装着である第一装着を行うことと、前記光コネクタの装着である第二装着が行われることとが可能であり、前記光モジュールと前記光コネクタとは、前記第二装着により、前記第二装着の解除に第一解除操作が必要な第一係合が行われ、前記光コネクタには、前記第二装着が維持されたまま前記光コネクタが前記筐体から抜き取られる際に、前記光モジュールに引っかかる抜取り部が接続されており、前記光モジュールは、前記光モジュールと前記ケージとの間の係合を解除する操作を行わなくても、前記第二装着が維持されたままで、前記ケージから取り出すことが可能である。
【発明の効果】
【００２２】
本発明の光接続構造等は、光モジュールの筐体からの抜取りを容易にする。
【図面の簡単な説明】
【００２３】
【図１】本実施形態の光接続構造例を表す概念図（その１）である。
【図２】本実施形態の光接続構造例を表す概念図（その２）である。
【図３】光コネクタが光モジュールに係合される様子を表す概念図である。
【図４】光モジュールの外形を表す概念図である。
【図５】ケージの外形を表す概念図である。
【図６】光モジュールをケージに装着した状態を表す概念図である。
【図７】光モジュールとケージとの係合構造（その１）を表す断面概念図である。
【図８】光コネクタを装着した光モジュールがケージから抜き取られた様子を表す概念図である。
【図９】光コネクタが光モジュールから抜き取られた様子を表す概念図である。
【図１０】光モジュールとケージとの係合構造（その２）を表す断面概念図である。
【図１１】光モジュールとケージとの係合構造（その３）を表す断面概念図である。
【図１２】光モジュールとケージとの係合構造（その４）を表す断面概念図である。
【図１３】一般的な光接続構造を表す概念図（その１）である。
【図１４】一般的な光接続構造を表す概念図（その２）である。
【図１５】凸部が係合孔に嵌っている様子を表す概念図である。
【図１６】ロック解除レバーを表す概念図である。
【図１７】ロック解除レバーの操作の様子を表す概念図である。
【図１８】光モジュールの凸部がケージの係合孔から外れる様子を表す概念図である。
【図１９】光モジュールがケージから抜き取られる様子を表す概念図である。
【図２０】実施形態の光接続構造の最小限の構成を表す概念図である。
【発明を実施するための形態】
【００２４】
本実施形態の光接続構造は、屋外光通信装置の筐体内に設置された光モジュールに光コネクタを接続し又は当該光コネクタを抜き取るための構造である。前記光接続構造は、前記筐体内のケージに光モジュールが装着された場合に、これらが互いにロックされていない点が図１３及び図１４に表す一般的なものと異なる。また、前記光接続構造においては、光コネクタを前記屋外光通信装置から抜き取る際に、光モジュールを引っかけて前記屋外光通信装置から抜き取る、抜取り部が光コネクタに接続されている。これらにより、作業者等は、前記筐体から前記コネクタ部を抜き取る際に、光コネクタを、光モジュールに装着されたまま光モジュールごと、抜き取る。これにより、作業者等は、光モジュールを筐体から抜き取る際に、ラッチ部の操作による光コネクタと光モジュールとの係合の解除操作や、ロック解除レバーによる光モジュールとケージとの間の係合の解除操作を行う必要がない。
【００２５】
上記により、本実施形態の光接続構造は、光モジュールの筐体からの抜取りを容易にする。
［構成と動作］
図１及び図２は、移動通信基地局に接続された光ケーブルを屋外光通信装置に接続するための本実施形態の光接続構造の例である光接続構造３００を表す概念図である。図示されない移動通信基地局及び屋外光通信装置は、［背景技術］の項で説明したものと同様のものである。図１は、光接続構造３００を構成するレセプタ部１００とコネクタ部２００とが接続されていない状態を表す。また、図２は、レセプタ部１００とコネクタ部２００とが接続された状態を表す。
【００２６】
レセプタ部１００は前記屋外光通信装置に設置されている。また、コネクタ部２００の光ケーブル８１は、前記移動通信基地局に接続されている。コネクタ部２００とレセプタ部１００とが図２に表すように接続された状態で、前記屋外光通信装置と前記移動通信基地局との間の光通信が行われる。
【００２７】
レセプタ部１００は、レセプタ係合部材１０と、基板８２と、ケージ８６と、光モジュール７０とを備える。
【００２８】
前記屋外光通信装置の図示されない筐体に形成された穴にレセプタ係合部材１０が設置されている。前記筐体の内側には基板８２が設置されている。基板８２は、前記筐体に固定されている。
【００２９】
基板８２上には、ケージ８６が設置されている。ケージ８６内には、光モジュール７０が装着されている。光モジュール７０はＳＦＰ光モジュールである。ここで、ＳＦＰは、Ｓｍａｌｌ  Ｆｏｒｍ−ｆａｃｔｏｒ  Ｐｌｕｇｇａｂｌｅの略である。この状態において、光モジュール７０の図示されない電気端子は基板８２の配線と接続された基板の電気端子に接続されている。当該配線は、基板８２に設置された図示されない信号処理部品に接続されている。
【００３０】
一方、コネクタ部２００は、コネクタ本体部２６とコネクタ係合部材２５と光ケーブル８１と抜取り部２３とを備える。前述のように光ケーブル８１は移動通信基地局に接続されている。また、コネクタ本体部２６は光コネクタ２２を備える。コネクタ係合部材２５はコネクタ本体部２６に固定されておらず、コネクタ本体部２６に対し回転し得る。
【００３１】
光コネクタ２２は光モジュール７０に挿入される。光コネクタ２２が光モジュール７０に挿入されると、ラッチ部２２ａにより、光コネクタ２２と光モジュール７０とは係合される。ラッチ部２２ａの構造は、ＭＳＡが策定した規格に定められている。ここでは、ラッチ部２２ａの構造の詳細な説明は省略される。
【００３２】
光コネクタ２２と光モジュール７０とは係合された状態で、コネクタ係合部材２５は、図２に表すように、レセプタ係合部材１０と螺合する。
【００３３】
光コネクタ２２が光モジュール７０に挿入された状態で、光モジュール７０は、基板８２の配線から送付された電気信号を光信号に変換し、光コネクタ２２を介して、光ケーブル８１に送出する。また、光モジュール７０は、光ケーブル８１から光コネクタ２２を介して送付された光信号を電気信号に変換し、基板８２の配線に送出する。
【００３４】
図１に表すコネクタ部２００をレセプタ部１００に装着することにより図２に表す状態にする場合は、まず光コネクタ２２を光モジュール７０に挿入し、装着する。当該装着により、コネクタ部２００が備える抜取り部２３の先端部２３ａは、図２に表すように、光モジュール７０に形成された段差７５に引っかかっている。その後に、コネクタ係合部材２５を回転させることによりコネクタ係合部材２５の図示されないネジ溝をレセプタ係合部材１０の図示されないネジ山に螺合させる。こうして、コネクタ部２００のレセプタ部１００への装着が完了する。
【００３５】
図３は、光コネクタ２２が光モジュール７０に係合される様子を表す概念図である。図３（ａ）は、光モジュール７０が光コネクタ２２と係合される部分を表す断面概念図である。また、図３（ｂ）は、光コネクタ２２の、光モジュール７０と係合する部分を表す断面概念図である。また、図３（ｃ）は、光コネクタ２２を光モジュール７０に装着した様子を表す概念図である。
【００３６】
なお、ばね２２ｅは、理解容易のため、断面ではなく模式的なイメージを表してある。
【００３７】
光モジュール７０は、ハウジング７０ｅと、フェレール７０ｂと、光ファイバ７０ｃとを備える。光ファイバ７０ｃはフェレール７０ｂを介してハウジング７０ｅに固定されている。ハウジング７０ｅには、引っかかり部７０ｄが形成されている。
【００３８】
光コネクタ２２は、ハウジング２２ｇと、フェレール２２ｃと、光ファイバ２２ｄと、ばね２２ｅとを備える。
【００３９】
ハウジング２２ｇにはレバー２２ｂが形成されている。レバー２２ｂは、弾性を有し、図３（ｂ）に表す状態から下向きに押すことが可能である。レバー２２ｂは、下向きに押す力が解除されると、図３（ｂ）に表す状態に復元する。レバー２２ｂには凹部２２ｆが形成されている。
【００４０】
ハウジング２２ｇ内には、穴２２ｈが形成されている。穴２２ｈの内部には、フェレール２２ｃと、光ファイバ２２ｄと、ばね２２ｅとが収められている。光ファイバ２２ｄはフェレール２２ｃに固定されている。フェレール２２ｃはばね２２ｅの左端に接続されている。フェレール２２ｃは、ある程度、穴２２ｈ内を左右に移動できる。また、光ファイバ２２ｄは、フェレール２２ｃが右方に移動した場合には、右方の図示されない領域でたわむようになっている。
【００４１】
光コネクタ２２を光モジュール７０に装着すると、図３（ｃ）に表すように、光コネクタ２２の位置２２ｉは、光モジュール７０の位置７０ｆに当たる。このとき、フェレール２２ｃはフェレール７０ｂにより右方に押され、穴２２ｈ内を右方に移動する。これによりばね２２ｅは縮み、その復元力により、フェレール２２ｃをフェレール７０ｂに押し付ける。
【００４２】
また、引っかかり部７０ｄは、レバー２２ｂに形成された凹部に挿入されている。当該挿入は、レバー２２ｂの上向きの復元力により維持されている。この状態で、ハウジング２２ｇには、ばね２２ｅの復元力による力が右向きにかかっている。そのため、引っかかり部７０ｄの左端は、凹部２２ｆの左端に引っかかっている。
【００４３】
図３（ｃ）の状態でレバー２２ｂを下向きに押すと、引っかかり部７０ｄの左端の凹部２２ｆの左端への引っかかりが解除される。さらに、ばね２２ｅの復元力による力により、ハウジング２２ｇが右方に移動し、レバー２２ｂを下向きに押し続けられなくても、引っかかり部７０ｄは凹部２２ｆから外れた状態になる。従い、図３（ｃ）の状態でレバー２２ｂを下向きに押すことにより、光コネクタ２２を光モジュール７０から取り外すことが可能になる。
【００４４】
次に、レセプタ部１００における、ケージ８６と、ケージ８６に挿入された光モジュール７０との係合のされ方について説明する。
【００４５】
図４に表すように、光モジュール７０の下面には凸部７１が形成されている。また、図５に表すように、ケージ８６の下面には、凹部８６ｃが形成されている。図６に表すように光モジュール７０がケージ８６に装着されると凸部７１は凹部８６ｃに嵌る。
【００４６】
図７は、図６に表すように光モジュール７０がケージ８６に装着された状態における、光モジュール７０とケージ８６の凹部８６ｃとの係合構造（その１）を表す断面概念図である。
【００４７】
光モジュール７０の下面７０ａに形成された凸部７１は、ケージ８６に形成された凹部８６ｃに嵌っている。しかしながら、光モジュール７０が右方に引っ張られると凹部８６ｃの上面の傾斜が凸部７１に接触し、可動片８６ｂが下方に押される。そして、光モジュール７０は、光モジュール７０とケージ８６との互いの接触箇所が互いに滑りながら、右方に動かされる。このため、作業者等は、凹部８６ｃから凸部７１をはずす操作を行うことなく、光モジュール７０を右方に引っ張ることで、光モジュール７０をケージ８６から抜き取ることが可能である。凹部８６ｃから凸部７１をはずす操作は、図１７及び図１８に表すように、一般的な光接続構造では必要であったものである。
【００４８】
前述のように図２に表す状態では、コネクタ部２００が備える抜取り部２３の先端部２３ａは光モジュール７０の段差７５に引っかかっている。抜取り部２３の右端はまたコネクタ本体部２６に接続されている。そのため、作業者等が、図２に表すコネクタ本体部２６を矢印９８ａの向きに引っ張ると、図８に表すように、光モジュール７０は、光コネクタ２２が装着された状態で、ケージ８６から抜き取られる。なお、図２に表す状態では、ラッチ部２２ａによって、光コネクタと光モジュール７０と係合している。しかしながら、ラッチ部２２ａの構造は強固なものではない。そのため、抜取り部２３の先端部２３ａが光モジュール７０の段差７５に引っかかっていないと、光コネクタ２２のケージ８６からの抜取りの際に、ラッチ部２２ａが破損する場合がある。抜取り部２３の先端部２３ａが光モジュール７０の段差７５に引っかかっている構成は、ラッチ部２２ａの当該破損を防ぎ得る。
【００４９】
作業者等は、図８に表すように、ケージ８６から、光モジュール７０ごと光コネクタ２２を抜き取った後に、抜取り部２３の先端部２３ａを下方にずらす等により先端部２３ａの光モジュール７０の段差７５への引っかかりを解除する。作業者等は、さらに、ラッチ部２２ａを指で操作することにより、光コネクタ２２と光モジュール７０との係合を解除する。図８に表す状態におけるラッチ部２２ａの指による係合解除操作は、ラッチ部２２ａが露出しているため、光コネクタ２２が光モジュールに装着された状態で行う一般的な場合と異なり、容易に行われ得る。
【００５０】
これらにより、図９に表すように光モジュール７０と光コネクタ２２とは互いに分離される。
【００５１】
その後、光モジュール７０をケージ８６に装着すれば、光接続構造３００は、図１に表す状態に戻る。
【００５２】
なお、光モジュール７０がケージ８６に装着された状態での光モジュール７０とケージ８６との係合のされ方には、図７に表すものの他、種々のバリエーションが想定され得る。
【００５３】
図１０は、光モジュール７０がケージ８６に装着された状態での光モジュール７０とケージ８６との係合構造（その２）を表す断面概念図である。図１０に表す構造においては、光モジュール７０の下面に形成された凸部７１の下面は、斜面になっている。一方、ケージ８６に形成された凹部８６ｃの右端は垂直に立っている。図１０に表す状態から光モジュール７０が矢印９８ａの向きに移動する場合、光モジュール７０は、凸部７１の下面が凹部８６ｃの右端に乗り上げ、滑りながら移動する。
【００５４】
図１１は、光モジュール７０がケージ８６に装着された状態での光モジュール７０とケージ８６との係合構造（その３）を表す断面概念図である。図１０に表す構造においては、光モジュール７０の下面に形成された凸部７１の下面は、斜面になっている。一方、ケージ８６に形成された凹部８６ｃの上面も斜面になっている。図１１に表す状態から光モジュール７０が矢印９８ａの向きに移動する場合、光モジュール７０は、凸部７１の下面が凹部８６ｃの上面に乗り上げ、滑りながら移動する。
【００５５】
図１２は、光モジュール７０がケージ８６に装着された状態での光モジュール７０とケージ８６との係合構造（その４）を表す断面概念図である。図１０に表す構造においては、光モジュール７０の下面は平面である。また、ケージ８６に形成された凹部８６ｃの上面も平面である。光モジュール７０とケージ８６との図１２に表す位置関係は、光モジュール７０の下面とケージ８６との静止摩擦力により光モジュール７０とケージ８６とが係合されることにより、維持されている。本実施形態においては、二つの物が互いに動きにくい状態にあることを、それらが係合しているということとする。当該係合には静止摩擦力によるものが含まれる。
【００５６】
光モジュール７０の下面及びケージ８６の互いに接触する部分の少なくとも一部に当該静止摩擦力を強めるための凹凸等の滑り止めが設けられていても構わない。
図１２に表す状態から光モジュール７０が矢印９８ａの向きに移動する場合、光モジュール７０は、ケージ８６上を滑りながら移動する。
【００５７】
光モジュール７０がケージ８６に装着された状態での光モジュール７０とケージ８６との係合構造は、図７及び図１０乃至図１２に表すもの以外であっても構わない。例えば、光モジュール７０の下面及びケージ８６の互いに接触する部分の少なくとも一部は曲面で構成されていても構わない。当該係合構造は、光モジュール７０のケージ８６からの抜き取りに、光モジュール７０を矢印９８ａの向きに引っ張る以外の、当該係合を解除するための操作を要さないものであれば構わない。
［効果］
本実施形態の光接続構造においては、装置の筐体内の基板に固定されたケージに装着された光モジュールは、ケージとロックされていない。そのため、光モジュールは、引っ張られるだけでケージとの係合がはずれ、ケージから取り出すことが可能である。前記光接続構造においては、また、光コネクタに接続された抜取り部を備える。抜取り部の先端部は、光コネクタが光モジュールに装着された状態から光コネクタが装着解除の向きに引っ張られると、光モジュールの段差に引っかかる。そのため、光コネクタをさらに引っ張ると、光コネクタは、光モジュールに装着されたまま、光モジュールごと、ケージから抜き取られる。そのため、本発明の光接続構造においては、作業者等は、光モジュールを抜き取る際に、光コネクタの光モジュールへのラッチ部による係合の解除操作や、光モジュールのケージへのロックの解除操作を行わずにすむ。当該係合解除は、図１３及び図１４に表すような一般的な光接続構造で光コネクタを光モジュールから抜き取る際に必要なものである。さらに、本実施形態の光接続構造においては、抜き取り部が、光モジュールを抜き取るため、光モジュールをケージから抜き取るための工具を必要としない。
【００５８】
上記により、本実施形態の光接続構造は、光モジュールの装置からの抜取りを容易にする。
【００５９】
なお、ここまでは、主として、光モジュールを屋外移動基地局の筐体から抜き取る場合の光接続構造例を説明した。しかしながら、実施形態の光接続構造において、光モジュールを備える物は、屋外移動基地局に限定されず任意である。
【００６０】
図２０は、実施形態の光接続構造の最小限の構成である光接続構造３００ｘの構成を表す概念図である。光接続構造３００ｘは、光モジュール７０ｘと光コネクタ２２ｘとを備える。
【００６１】
光モジュール７０ｘは、筐体７３ｘの内部に設置されたケージ８６ｘに第一装着することが可能であり、前記第一装着の状態で筐体７３ｘに設置された穴７４ｘを介して光コネクタ２２ｘを第二装着することが可能である。
【００６２】
光コネクタ２２ｘは、筐体の内部に設置されたケージへの装着である第一装着を行うことと、光コネクタ２２ｘの装着である第二装着が行われることとが可能である。
【００６３】
光モジュール７０ｘと光コネクタ２２ｘとは、前記第二装着により、前記第二装着の解除に第一解除操作が必要な第一係合が行われる。
【００６４】
光コネクタ２２ｘには、前記第二装着が維持されたまま光コネクタ２２ｘが前記筐体から抜き取られる際に、光モジュール７０ｘに引っかかる抜取り部が接続されている。
【００６５】
光モジュール７０ｘは、前記光モジュールは、前記光モジュールと前記ケージとの間の係合を解除する操作を行わなくても、前記第二装着が維持されたままで、前記ケージから取り出すことが可能である。
【００６６】
作業者等は、光コネクタ２２ｘを、前記第一解除操作を行うことなしに、光モジュール７０ｘに装着された状態で、光モジュール７０ｘを前記抜取り部で引っかけ、光モジュール７０ｘごと前記ケージから抜き取ることが可能である。そのため、光接続構造３００ｘは、光モジュール７０ｘの前記筐体からの抜取りを容易にする。
【００６７】
そのため、光接続構造３００ｘは、前記構成により、［発明の効果］の項に記載した効果を奏する。
【００６８】
ここで、図２０に表す光接続構造３００ｘは、例えば、図１、図２、図８及び図９に表す光接続構造３００である。
【００６９】
また、光モジュール７０ｘは、例えば、図１、図２、図８及び図９に表す光モジュール７０である。
【００７０】
また、筐体７３ｘは、例えば、図１、図２、図８及び図９に表すレセプタ係合部材１０が設置されている図示されない筐体（図１３に表す筐体７３に相当）である。
【００７１】
また、ケージ８６ｘは、例えば、図１、図２、図８及び図９に表すケージ８６である。
【００７２】
また、前記第一装着は、例えば、図１、図２、図６、図８及び図９に表す、光モジュール７０のケージ８６ｘへの装着である。
【００７３】
また、穴７４ｘは、例えば、図１、図２、図８及び図９に表すレセプタ係合部材１０が設置されている部分に形成されている筐体の穴である。
【００７４】
また、光コネクタ２２ｘは、例えば、図１、図２、図８及び図９に表す光コネクタ２２である。
【００７５】
また、前記第二装着は、例えば、図１、図２、図８及び図９に表す光コネクタ２２の光モジュールへの装着である。
【００７６】
また、前記第一解除操作は、例えば、図１、図２、図８及び図９に表すラッチ部２２ａの解除操作である。
【００７７】
また、前記第一係合は、例えば、光コネクタ２２と光モジュールとの間の係合である。
【００７８】
また、前記抜取り部は、例えば、図１、図２、図８及び図９に表す抜取り部２３である。
【００７９】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００８０】
また、前記の実施形態の一部又は全部は、以下の付記のようにも記述され得るが、以下には限られない。
（付記１）
光モジュールと光コネクタとを備え、
前記光モジュールは、筐体の内部に設置されたケージへの装着である第一装着を行うことと、前記光コネクタの装着である第二装着が行われることとが可能であり、
前記光モジュールと前記光コネクタとは、前記第二装着により、前記第二装着の解除に第一解除操作が必要な第一係合が行われ、
前記光コネクタには、前記第二装着が維持されたまま前記光コネクタが前記筐体から抜き取られる際に、前記光モジュールに引っかかる抜取り部が接続されており、
前記光モジュールは、前記光モジュールと前記ケージとの間の係合を解除する操作を行わなくても、前記第二装着が維持されたままで、前記ケージから取り出すことが可能である、
光接続構造。
（付記２）
前記抜取り部の先端部は、前記第二装着された状態で前記筐体から抜き取られる際に、前記光モジュールの段差に引っかかる、付記１に記載された光接続構造。
（付記３）
前記第一装着の状態で、前記光モジュールに形成された凸部が、前記ケージに形成された凹部に嵌る、付記１又は付記２に記載された光接続構造。
（付記４）
前記光モジュールは、Ｓｍａｌｌ  Ｆｏｒｍ−ｆａｃｔｏｒ  Ｐｌｕｇｇａｂｌｅ光モジュールである、付記１乃至付記３のうちのいずれか一に記載された光接続構造。
（付記５）
前記光コネクタは、前記第一係合を行うラッチ部を備える、付記４に記載された光接続構造。
（付記６）
前記第一解除操作は前記ラッチ部の操作により行われる、付記５に記載された光接続構造。
（付記７）
前記ラッチ部は、Ｍａｎａｇｅｍｅｎｔ  Ｓｙｓｔｅｍ  Ａｓｓｅｓｓｍｅｎｔ  Ｃｅｎｔｅｒが策定した規格に準拠するものである、付記５又は付記６に記載された光接続構造。
（付記８）
前記ケージは、前記筐体に固定された回路基板に設置されており、前記光モジュールの光モジュール電気端子は、前記第二装着の状態で、前記回路基板の回路基板電気端子に電気的に接続される、付記１乃至付記７のうちのいずれか一に記載された光接続構造。
（付記９）
前記光コネクタは、前記筐体に設置された嵌合部材と前記第二装着の状態で嵌合され得る被嵌合部材と連結されている、付記１乃至付記８のうちのいずれか一に記載された光接続構造。
（付記１０）
前記嵌合部材と前記被嵌合部材とは互いに螺合し得る、付記９に記載された光接続構造。
（付記１１）
前記嵌合部材はレセプタ係合部材であり、前記被嵌合部材は前記レセプタ係合部材に対応するコネクタ係合部材である、付記９又は付記１０に記載された光接続構造。
（付記１２）
前記筐体は、屋外光通信装置に備えられ、前記光コネクタは移動通信基地局に接続された光ケーブルに接続されている、付記１乃至付記１１のうちのいずれか一に記載された光接続構造。
（付記１３）
前記第一装着及び前記第二装着により、前記屋外光通信装置と前記移動通信基地局との間の光通信が行われ得る、付記１２に記載された光接続構造。
（付記１４）
付記１３に記載された光接続構造と、前記屋外光通信装置と、前記移動通信基地局とを備える、通信システム。
【符号の説明】
【００８１】
１０    レセプタ係合部材
１０ａ    ネジ山
１００    レセプタ部
２００    コネクタ部
２２、２２ｘ    光コネクタ
２２ａ    ラッチ部
２２ｂ    レバー
２２ｃ、７０ｂ    フェレール
２２ｄ、７０ｃ    光ファイバ
２２ｅ    ばね
２２ｆ    凹部
２２ｇ、７０ｅ    ハウジング
２２ｈ    穴
２２ｉ、７０ｆ    位置
２３    抜取り部
２５    コネクタ係合部材
２５ａ    ネジ溝
２６    コネクタ本体部
３００、３００ｘ    光接続構造
７０、７０ｘ    光モジュール
７０ｄ    引っかかり部
７０ａ    下面
７１    凸部
７２    ロック解除レバー
７３、７３ｘ    筐体
７４、７４ｘ    穴
７５    段差
７６、８４    電気端子
８１    光ケーブル
８２    基板
８６、８６ｘ    ケージ
８６ａ    係合孔
８６ｂ    可動片
８６ｃ    凹部
９１ａ    位置
９８ａ    矢印
【図１】
0006859397.tif 000002
【図２】
0006859397.tif 000003
【図３】
0006859397.tif 000004
【図４】
0006859397.tif 000005
【図５】
0006859397.tif 000006
【図６】
0006859397.tif 000007
【図７】
0006859397.tif 000008
【図８】
0006859397.tif 000009
【図９】
0006859397.tif 000010
【図１０】
0006859397.tif 000011
【図１１】
0006859397.tif 000012
【図１２】
0006859397.tif 000013
【図１３】
0006859397.tif 000014
【図１４】
0006859397.tif 000015
【図１５】
0006859397.tif 000016
【図１６】
0006859397.tif 000017
【図１７】
0006859397.tif 000018
【図１８】
0006859397.tif 000019
【図１９】
0006859397.tif 000020
【図２０】
0006859397.tif 000021